(57)【特許請求の範囲】
【請求項１】
設定端末と被設定端末との双方の設定画面又は画面遷移が異なる場合に、前記設定端末が前記被設定端末の設定を遠隔操作して前記被設定端末の設定入力を行うコンピュータシステムであって、
前記被設定端末に対する設定の入力を、前記設定端末の設定方法で入力を受け付けるにあたり、当該設定端末に対する設定入力を受け付けず、その設定方法のための画面閲覧のみを受け付ける設定閲覧受付手段と、
閲覧された前記設定画面のスナップショット画像を撮影する撮影手段と、
撮影した前記スナップショット画像を画像解析することにより、設定内容を特定する設定内容特定手段と、
前記被設定端末の端末種別ＩＤを取得する端末種別ＩＤ取得手段と、
前記端末種別ＩＤに基づいて、前記設定端末の設定方法で閲覧され、前記スナップショット画像により特定された前記設定内容に対応する設定コマンドを前記被設定端末に送信する設定コマンド送信手段と、
を備えるコンピュータシステム。
【請求項２】
設定端末と被設定端末との双方の設定画面又は画面遷移が異なる場合に、前記設定端末が前記被設定端末の設定を遠隔操作して前記被設定端末の設定入力を行うコンピュータシステムが実行する設定方法であって、
前記被設定端末に対する設定の入力を、前記設定端末の設定方法で入力を受け付けるにあたり、当該設定端末に対する設定入力を受け付けず、その設定方法のための画面閲覧のみを受け付けるステップと、
閲覧された前記設定画面のスナップショット画像を撮影するステップと、
撮影した前記スナップショット画像を画像解析することにより、設定内容を特定するステップと、
前記被設定端末の端末種別ＩＤを取得するステップと、
前記端末種別ＩＤに基づいて、前記設定端末の設定方法で閲覧され、前記スナップショット画像により特定された前記設定内容に対応する設定コマンドを前記被設定端末に送信するステップと、
を備える設定方法。
【請求項３】
設定端末と被設定端末との双方の設定画面又は画面遷移が異なる場合に、前記設定端末が前記被設定端末の設定を遠隔操作して前記被設定端末の設定入力を行うコンピュータシステムに、
前記被設定端末に対する設定の入力を、前記設定端末の設定方法で入力を受け付けるにあたり、当該設定端末に対する設定入力を受け付けず、その設定方法のための画面閲覧のみを受け付けるステップ、
閲覧された前記設定画面のスナップショット画像を撮影するステップ、
撮影した前記スナップショット画像を画像解析することにより、設定内容を特定するステップ、
前記被設定端末の端末種別ＩＤを取得するステップ、
前記端末種別ＩＤに基づいて、前記設定端末の設定方法で閲覧され、前記スナップショット画像により特定された前記設定内容に対応する設定コマンドを前記被設定端末に送信するステップ、
を実行させるためのコンピュータ読み取り可能なプログラム。
【発明の詳細な説明】
【技術分野】
【０００１】
本発明は、設定端末と被設定端末との双方の設定画面又は画面遷移が異なる場合に、設定端末が被設定端末の設定を遠隔操作して被設定端末の設定入力を行うコンピュータシステム、設定方法及びプログラムに関する。
【背景技術】
【０００２】
近年、スマートフォンやタブレット等の端末装置が普及している。このような端末装置において、ユーザは、自身が利用しやすくするために様々な設定を変更することが可能となっている。このような設定を変更する際、端末装置の操作に詳しいユーザが、操作に不慣れなユーザが所有する端末装置の設定を変更したい場合があった。【０００３】
しかしながら、端末装置の設定の変更方法は、端末装置の種類によって、設定画面と変更手順とが異なるために、操作に詳しいユーザであっても、操作に不慣れなユーザが所有する端末装置の設定を変更することが困難な場合があった。【０００４】
このような端末装置の設定を変更する構成として、端末装置用のタグから端末装置の設定に必要な情報を取得することにより、端末の設定を変更することが知られている（特許文献１参照）。
【先行技術文献】
【特許文献】
【０００５】
【特許文献１】特開２０１５−１１５８７８号公報
【発明の概要】
【発明が解決しようとする課題】
【０００６】
しかしながら、特許文献１の構成では、端末装置の機種毎に対応するタグを用意する必要や、任意の設定のみを変更することができないといった問題があるため、利便性が低く、端末装置の設定を容易に変更することが困難であった。【０００７】
本発明は、利便性を向上させるとともに、端末装置の設定を変更することを容易にすることが可能なコンピュータシステム、設定方法及びプログラムを提供することを目的とする。
【課題を解決するための手段】
【０００８】
本発明では、以下のような解決手段を提供する。【０００９】
本発明は、設定端末と被設定端末との双方の設定画面又は画面遷移が異なる場合に、前記設定端末が前記被設定端末の設定を遠隔操作して前記被設定端末の設定入力を行うコンピュータシステムであって、
前記被設定端末に対する設定の入力を、前記設定端末の設定方法で入力を受け付けるにあたり、当該設定端末に対する設定入力を受け付けず、その設定方法のための画面閲覧のみを受け付ける設定閲覧受付手段と、
前記被設定端末の端末種別ＩＤを取得する端末種別ＩＤ取得手段と、
前記端末種別ＩＤに基づいて、前記設定端末の設定方法で閲覧された前記被設定端末に対する設定に対応する設定コマンドを前記被設定端末に送信する設定コマンド送信手段と、
を備えるコンピュータシステムを提供する。【００１０】
本発明によれば、設定端末と被設定端末との双方の設定画面又は画面遷移が異なる場合に、前記設定端末が前記被設定端末の設定を遠隔操作して前記被設定端末の設定入力を行うコンピュータシステムは、前記被設定端末に対する設定の入力を、前記設定端末の設定方法で入力を受け付けるにあたり、当該設定端末に対する設定入力を受け付けず、その設定方法のための画面閲覧のみを受け付け、前記被設定端末の端末種別ＩＤを取得し、前記端末種別ＩＤに基づいて、前記設定端末の設定方法で閲覧された前記被設定端末に対する設定に対応する設定コマンドを前記被設定端末に送信する。【００１１】
本発明は、コンピュータシステムのカテゴリであるが、設定方法及びプログラム等の他のカテゴリにおいても、そのカテゴリに応じた同様の作用・効果を発揮する。
【発明の効果】
【００１２】
本発明によれば、利便性を向上させるとともに、端末装置の設定を変更することを容易にすることが可能なコンピュータシステム、設定方法及びプログラムを提供することが可能となる。
【図面の簡単な説明】
【００１３】
【図１】図１は、設定システム１の概要を示す図である。
【図２】図２は、設定システム１の全体構成図である。
【図３】図３は、コンピュータ１０、設定端末１００、被設定端末２００の機能ブロック図である。
【図４】図４は、コンピュータ１０、設定端末１００が実行する画面閲覧データ取得処理を示すフローチャートである。
【図５】図５は、コンピュータ１０、設定端末１００が実行する画面閲覧データ取得処理を示すフローチャートである。
【図６】図６は、コンピュータ１０、被設定端末２００が実行するコマンド送信処理を示すフローチャートである。
【図７】図７は、第一の設定画面３００の一例を示す図である。
【図８】図８は、スナップショット画像の一例を示す図である。
【図９】図９は、第二の設定画面４００の一例を示す図である。
【図１０】図１０は、スナップショット画像の一例を示す図である。
【発明を実施するための形態】
【００１４】
以下、本発明を実施するための最良の形態について図を参照しながら説明する。なお、これはあくまでも一例であって、本発明の技術的範囲はこれに限られるものではない。
【００１５】
［設定システム１の概要］
本発明の好適な実施形態の概要について、図１に基づいて説明する。図１は、本発明の好適な実施形態である設定システム１の概要を説明するための図である。設定システム１は、コンピュータ１０、設定端末１００、被設定端末２００から構成され、設定端末１００と被設定端末２００との双方の設定画面又は画面遷移が異なる場合に、設定端末１００が被設定端末２００の設定をコンピュータ１０を介して遠隔操作して被設定端末２００の設定入力を行うコンピュータシステムである。
【００１６】
なお、図１において、コンピュータ１０、設定端末１００、被設定端末２００の数は、適宜変更可能である。また、コンピュータ１０、設定端末１００、被設定端末２００は、実在する装置に限らず、仮想的な装置であってもよい。また、後述する各処理は、コンピュータ１０、設定端末１００、被設定端末２００のいずれか又は複数の組み合わせにより実現されてもよい。
【００１７】
コンピュータ１０は、設定端末１００、被設定端末２００とデータ通信可能に接続されたコンピュータ装置である。
【００１８】
設定端末１００は、コンピュータ１０とデータ通信可能に接続された端末装置である。設定端末１００は、操作に詳しいユーザが保有する端末装置である。設定端末１００は、例えば、携帯電話、携帯情報端末、タブレット端末、パーソナルコンピュータに加え、ネットブック端末、スレート端末、電子書籍端末、携帯型音楽プレーヤ等の電化製品や、スマートグラス、ヘッドマウントディスプレイ等のウェアラブル端末や、その他の物品である。
【００１９】
被設定端末２００は、コンピュータ１０とデータ通信可能に接続された端末装置である。被設定端末２００は、操作に不慣れなユーザが保有する端末装置である。被設定端末２００は、上述した設定端末１００と同様の電化製品や、ウェアラブル端末や、その他の物品である。
【００２０】
設定端末１００は、被設定端末２００に対する設定の入力を、自身の設定方法で入力を受け付けるにあたり、自身に対する設定入力を受け付けず、その設定方法のための画面閲覧のみを受け付ける（ステップＳ０１）。これは、設定端末１００が自身に対して行う設定方法の入力は、自身の設定を変更するわけではないことを意味し、被設定端末２００に設定させる設定内容に関する画面を閲覧することを意味する。
【００２１】
設定端末１００は、受け付けた画面閲覧に関するデータを示す画面閲覧データを、コンピュータ１０に送信する（ステップＳ０２）。画面閲覧データは、設定端末１００が受け付けた入力内容、閲覧した画面のスナップショット画像、自身の識別子等である。
【００２２】
コンピュータ１０は、画面閲覧データを受信する。コンピュータ１０は、被設定端末２００の端末種別ＩＤを取得する（ステップＳ０３）。
【００２３】
コンピュータ１０は、取得した端末種別ＩＤに基づいて、設定端末１００の設定方法で閲覧された被設定端末２００に対する設定に対応する設定コマンドを特定し、特定した設定コマンドを被設定端末２００に送信する（ステップＳ０４）。
【００２４】
被設定端末２００は、設定コマンドを受信する。被設定端末２００は、この設定コマンドに基づいて、自身の設定を変更する（ステップＳ０５）。
【００２５】
以上が、設定システム１の概要である。
【００２６】
［設定システム１のシステム構成］
図２に基づいて、本発明の好適な実施形態である設定システム１のシステム構成について説明する。図２は、本発明の好適な実施形態である設定システム１のシステム構成を示す図である。設定システム１は、コンピュータ１０、設定端末１００、被設定端末２００、公衆回線網（インターネット網や、第３、第４世代通信網等）５から構成され、設定端末１００と被設定端末２００との双方の設定画面又は画面遷移が異なる場合に、設定端末１００が被設定端末２００の設定を遠隔操作して被設定端末２００の設定入力を行うコンピュータシステムである。設定画面又は画面遷移が異なる場合とは、設定端末１００と被設定端末２００とが同一の設定を変更しようとした際、異なる設定画面への入力や、異なる画面遷移を経て入力する必要がある場合である。
【００２７】
なお、設定システム１を構成する各装置類の数及びその種類は、適宜変更可能である。また、設定システム１は、実在する装置に限らず、仮想的な装置類により実現されてもよい。また、後述する各処理は、設定システム１を構成する各装置類のいずれか又は複数の組み合わせにより実現されてもよい。
【００２８】
コンピュータ１０は、後述の機能を備えた上述したコンピュータ装置である。
【００２９】
設定端末１００は、後述の機能を備えた上述した端末装置である。
【００３０】
被設定端末２００は、後述の機能を備えた上述した端末装置である。
【００３１】
［各機能の説明］
図３に基づいて、本発明の好適な実施形態である設定システム１の機能について説明する。図３は、コンピュータ１０、設定端末１００、被設定端末２００の機能ブロック図を示す図である。
【００３２】
コンピュータ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉ―Ｆｉ（Ｗｉｒｅｌｅｓｓ―Ｆｉｄｅｌｉｔｙ）対応デバイス等を備える。また、コンピュータ１０は、記憶部１３として、ハードディスクや半導体メモリ、記録媒体、メモリカード等によるデータのストレージ部を備える。また、コンピュータ１０は、処理部１４として、各種計算、処理等を実行する各種デバイス等を備える。
【００３３】
コンピュータ１０において、制御部１１が所定のプログラムを読み込むことにより、通信部１２と協働して、データ取得モジュール２０、設定コマンド送信モジュール２１を実現する。また、コンピュータ１０において、制御部１１が所定のプログラムを読み込むことにより、記憶部１３と協働して、記憶モジュール３０を実現する。また、コンピュータ１０において、制御部１１が所定のプログラムを読み込むことにより、処理部１４と協働して、設定内容特定モジュール４０、設定コマンド特定モジュール４１を実現する。
【００３４】
設定端末１００は、コンピュータ１０と同様に、制御部１１０として、ＣＰＵ、ＲＡＭ、ＲＯＭ等を備え、通信部１２０として、他の機器と通信可能にするためのデバイスを備える。また、設定端末１００は、入出力部１４０として、制御部１１０で制御したデータや画像を出力表示する表示部や、ユーザからの入力を受け付けるタッチパネルやキーボード、マウス等の入力部や、画面のスナップショット画像を撮影する撮影部等の各種デバイスを備える。
【００３５】
設定端末１００において、制御部１１０が所定のプログラムを読み込むことにより、通信部１２０と協働して、データ送信モジュール１５０を実現する。また、設定端末１００において、制御部１１０が所定のプログラムを読み込むことにより、入出力部１４０と協働して、アプリケーションモジュール１７０、入力受付モジュール１７１を実現する。
【００３６】
被設定端末２００は、設定端末１００と同様に、制御部２１０として、ＣＰＵ、ＲＡＭ、ＲＯＭ等を備え、通信部２２０として、他の機器と通信可能にするためのデバイスを備え、入出力部２４０として、表示部や、入力部等の各種デバイスを備える。
【００３７】
被設定端末２００において、制御部２１０が所定のプログラムを読み込むことにより、通信部２２０と協働して、端末種別ＩＤ送信モジュール２５０、設定コマンド受信モジュール２５１を実現する。また、被設定端末２００において、制御部２１０が所定のプログラムを読み込むことにより、入出力部２４０と協働して、設定変更モジュール２７０を実現する。
【００３８】
［画面閲覧データ取得処理］
図４及び図５に基づいて、設定システム１が実行する画面閲覧データ取得処理について説明する。図４及び図５は、コンピュータ１０、設定端末１００が実行する画面閲覧データ取得処理のフローチャートを示す図である。上述した各装置のモジュールが実行する処理について、本処理に併せて説明する。
【００３９】
アプリケーションモジュール１７０は、設定転送アプリを起動する（ステップＳ１０）。ステップＳ１０において、アプリケーションモジュール１７０は、バックグラウンドで働くアプリケーションである設定転送アプリを起動する。この設定転送アプリは、ユーザが入力した設定に必要な画面をスナップショット画像として撮影、設定方法で入力を受け付けるにあたり、自身に対する設定入力の受付拒否等を実行するアプリケーションである。
【００４０】
入力受付モジュール１７１は、被設定端末２００に対する設定の入力として、設定画面を表示するために必要な入力を受け付ける（ステップＳ１１）。ステップＳ１１において、入力受付モジュール１７１は、例えば、自身が有する設定アイコン又は設定項目へのタップ入力を受け付けることにより、第一の設定画面を表示する。この第一の設定画面には、複数の設定画面へと遷移する各種設定アイコン又は設定項目が表示される。入力受付モジュール１７１は、いずれかの設定アイコン又は設定項目への入力を受け付けることにより、各設定アイコン又は各設定項目に対応する第二の設定画面を表示する。なお、設定の入力は、第一の設定画面のみで行われてもよい
【００４１】
図７に基づいて、第一の設定画面について説明する。図７は、第一の設定画面３００の一例を示す図である。第一の設定画面３００は、複数の設定アイコン又は設定項目が表示され、各設定アイコン又は各設定項目への入力を受け付けることにより、入力を受け付けた各設定アイコン又は各設定項目に対応する設定画面へと遷移する。このとき、入力受付モジュール１７１は、実際の設定変更を受け付けるのではなく、その設定方法のための画面閲覧のみを受け付けた状態である。
【００４２】
アプリケーションモジュール１７０は、この入力を含んだ設定画面のスナップショット画像を撮影する（ステップＳ１２）。ステップＳ１２において、アプリケーションモジュール１７０は、設定アイコン又は設定項目のいずれかに対して入力が行われたかを示した状態の第一の設定画面３００のスナップショット画像を撮影する。
【００４３】
図８に基づいて、スナップショット画像について説明する。図８は、ステップＳ１３の処理において、アプリケーションモジュール１７０が撮影したスナップショット画像の一例を示す図である。アプリケーションモジュール１７０は、第一の設定画面３００に、設定アイコン又は設定項目のいずれかが入力を受け付けたかを示すマークを付した状態で、スナップショット画像を撮影する。このマークは、例えば、設定項目の内容が把握できる状態でこの設定項目を塗りつぶす、設定アイコンに対してその旨の通知を付す、第一の設定画面３００の外部又は内部に設定アイコン又は設定項目のいずれかが入力を受け付けたかを示す説明を付すである。図８において、アプリケーションモジュール１７０は、入力を受け付けた設定項目３１０の背景をハッチング処理で示している。
【００４４】
アプリケーションモジュール１７０は、設定の入力が完了したか否かを判断する（ステップＳ１３）。ステップＳ１３において、アプリケーションモジュール１７０は、後述する第二の設定画面へ画面遷移が行われたか否かを判断することにより、設定の入力が行われたか否かを判断する。すなわち、アプリケーションモジュール１７０は、第二の設定画面への画面遷移が行われた場合、設定の入力はまだ途中であると判断し、第二の設定画面への画面遷移が行われなかった場合、設定の入力が完了したと判断する。
【００４５】
ステップＳ１３において、アプリケーションモジュール１７０は、設定の入力が完了したと判断した場合（ステップＳ１３  ＹＥＳ）、アプリケーションモジュール１７０は、後述するステップＳ１６の処理を実行する。
【００４６】
一方、ステップＳ１３において、アプリケーションモジュール１７０は、設定の入力が完了していないと判断した場合（ステップＳ１３  ＮＯ）、入力受付モジュール１７１は、設定画面に対して入力が行われたか否かを判断する（ステップＳ１４）。ステップＳ１４において、入力受付モジュール１７１は、第二の設定画面の各設定アイコン又は各設定項目のいずれかへの入力が行われたか否かを判断する。この入力とは、例えば、各設定アイコン又は各設定項目へのタップ操作である。
【００４７】
図９に基づいて、第二の設定画面について説明する。図９は、第二の設定画面４００の一例を示す図である。第二の設定画面４００は、必要な設定を行うために第一の設定画面３００から遷移した設定画面である。第二の設定画面４００は、上述した第一の設定画面３００と同様に、複数の設定アイコン又は設定項目が表示され、各設定アイコン又は各設定項目への入力を受け付けることにより、入力を受け付けた各設定アイコン又は各設定項目に対応する設定を表示する。このとき、入力受付モジュール１７１は、実際の設定変更を受け付けるのではなく、その設定方法のための画面閲覧のみを受け付けた状態である。
【００４８】
第二の設定画面４００は、第一の設定画面３００の設定アイコンのうち、Ｗｉ−Ｆｉ設定に対応する設定アイコンへの入力を受け付けた状態における設定画面である。第二の設定画面４００において、現在自身が設定しているＷｉ−Ｆｉ接続の接続先を示す識別子（ＳＳＩＤ、パスワードに保護されている状態を示すアイコン、Ｗｉ−Ｆｉ接続であることを示すアイコン等）を表示する。
【００４９】
ステップＳ１４において、入力受付モジュール１７１は、入力が行われていないと判断した場合（ステップＳ１４  ＮＯ）、入力受付モジュール１７１は、入力が行われるまで本処理を繰り返す。
【００５０】
一方、ステップＳ１４において、入力受付モジュール１７１は、入力が行われたと判断した場合（ステップＳ１４  ＹＥＳ）、アプリケーションモジュール１７０は、この入力を含んだ設定画面のスナップショット画像を撮影する（ステップＳ１５）。ステップＳ１５において、アプリケーションモジュール１７０は、どの設定アイコン又は設定項目に対して入力が行われたかを示した状態の第二の設定画面４００のスナップショット画像を撮影する。
【００５１】
図１０に基づいて、スナップショット画像について説明する。図１０は、ステップＳ１５の処理において、アプリケーションモジュール１７０が撮影したスナップショット画像の一例を示す図である。アプリケーションモジュール１７０は、第一の設定画面３００と同様に、設定アイコン又は設定項目のいずれかが入力を受け付けたかを示すマークを付した状態で、スナップショット画像を撮影する。図１０において、アプリケーションモジュール１７０は、入力を受け付けた設定項目４１０の背景をハッチング処理で示している。
【００５２】
なお、上述した説明において、第二の設定画面までの説明しかしていないが、本発明は、第二の設定画面で設定変更が完了しない場合、設定変更が完了するまで、上述した処理と同様の処理を繰り返すことにより、設定変更が完了するまでの設定画面のスナップショット画像を撮影する。
【００５３】
アプリケーションモジュール１７０は、撮影したスナップショット画像と、自身の端末種別ＩＤ（例えば、端末を識別するための識別子、端末の製造元の識別子、型式）とを対応付けた画面閲覧データを作成する（ステップＳ１６）。ステップＳ１６において、アプリケーションモジュール１７０は、複数のスナップショット画像が存在する場合、スナップショット画像を撮影した順番を画面閲覧データに含める。例えば、スナップショット画像を撮影した時刻順に画面閲覧データを生成すること、スナップショット画像を撮影する際に、番号を付しておき、この番号順に画面閲覧データを生成することにより、スナップショット画像の順番を決定する。
【００５４】
アプリケーションモジュール１７０は、画面閲覧データの作成が完了次第、設定転送アプリを終了する（ステップＳ１７）。なお、アプリケーションモジュール１７０は、ユーザが設定の転送を継続する場合、終了しなくともよい。例えば、他の設定に関する入力を受け付けた場合、継続すればよい。
【００５５】
データ送信モジュール１５０は、画面閲覧データを、コンピュータ１０に送信する（ステップＳ１８）。
【００５６】
データ取得モジュール２０は、画面閲覧データを受信する。コンピュータ１０は、画面閲覧データを受信することにより、画面閲覧データを取得する。
【００５７】
記憶モジュール３０は、画面閲覧データを記憶する（ステップＳ１９）。
【００５８】
以上が、画面閲覧データ取得処理である。
【００５９】
［コマンド送信処理］
図６に基づいて、設定システム１が実行するコマンド送信処理について説明する。図６は、コンピュータ１０、被設定端末２００が実行するコマンド送信処理のフローチャートを示す図である。上述した各装置のモジュールが実行する処理について、本処理に併せて説明する。
【００６０】
設定内容特定モジュール４０は、上述したステップＳ１９の処理により記憶モジュール３０が記憶した画面閲覧データが、実際にどのような設定内容であったかを画像解析により特定する（ステップＳ２０）。ステップＳ２０において、設定内容特定モジュール４０は、例えば、この画像閲覧データに含まれるスナップショット画像を、文字認識することにより、含まれるテキストを認識し、どのような設定内容であるかを特定する。また、設定内容特定モジュール４０は、スナップショット画像の特徴量や特徴点を抽出することにより、選択された設定項目を特定し、どのような設定内容の入力を受け付けたのかを特定する。
【００６１】
端末種別ＩＤ送信モジュール２５０は、コンピュータ１０からの要求に基づいて、端末種別ＩＤをコンピュータ１０に送信する（ステップＳ２１）。
【００６２】
データ取得モジュール２０は、被設定端末２００の端末種別ＩＤを受信する。コンピュータ１０は、被設定端末２００の端末種別ＩＤを受信することにより、この端末種別ＩＤを取得する。
【００６３】
設定コマンド特定モジュール４１は、特定した設定内容と、取得した端末種別ＩＤとに基づいて、設定端末１００の設定方法で閲覧された被設定端末２００に対する設定に対応する設定コマンドを特定する（ステップＳ２２）。ステップＳ２２において、設定コマンド特定モジュール４１は、記憶モジュール３０が記憶する設定内容と、端末種別ＩＤと、設定コマンドとを対応付けた端末設定テーブルを参照することにより、設定コマンドを特定する。
【００６４】
［端末設定テーブル］
記憶モジュール３０が記憶する端末設定テーブルについて説明する。記憶モジュール３０は、予め、設定内容と、端末種別ＩＤと、設定コマンドとを対応付け、端末設定テーブルとして記憶する。設定内容とは、端末の各種設定を変更するための設定画面や変更手順である。端末種別ＩＤとは、上述した通りである。設定コマンドは、被設定端末２００が実行する各種コマンドである。
【００６５】
設定コマンド特定モジュール４１は、特定した設定内容と、取得した端末種別ＩＤとに対応付けられた設定コマンドを、端末設定テーブルから特定する。例えば、設定コマンド特定モジュール４１は、今回特定した設定内容が、「Ｗｉ−Ｆｉ接続」に関する設定方法であることから、この設定内容に対応付けられた端末種別ＩＤのうち、今回取得した端末種別ＩＤと一致するものを特定する。設定コマンド特定モジュール４１は、そのうえで、今回特定した端末種別ＩＤに対応付けられた設定コマンドを特定する。
【００６６】
設定コマンド送信モジュール２１は、特定した設定コマンドを被設定端末２００に送信する（ステップＳ２３）。
【００６７】
設定コマンド受信モジュール２５１は、設定コマンドを受信する。設定変更モジュール２７０は、この設定コマンドに基づいて、自身の設定を変更する（ステップＳ２４）。ステップＳ２４において、設定変更モジュール２７０は、自身の設定を変更する際、ユーザからの入力を受け付けず、自動的に設定を変更する。例えば、設定端末で、キーボードのローマ字入力に設定されている画面を閲覧した場合、この画面が撮影されて、コンピュータ１０に送信される。コンピュータ１０は、この画面に基づいて、設定内容を特定し、特定した設定内容と、被設定端末２００の端末種別ＩＤとに対応付けられた設定コマンド（キーボードのローマ字入力）を特定する。コンピュータ１０は、この設定コマンドを被設定端末２００に送信する。被設定端末２００は、この設定コマンド（キーボードのローマ字入力）を実行する。
【００６８】
以上が、コマンド送信処理である。
【００６９】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７１】
１  設定システム１０  コンピュータ、１００  設定端末、２００  被設定端末
【要約】
【課題】利便性を向上させるとともに、端末装置の設定を変更することを容易にすることが可能なコンピュータシステム、設定方法及びプログラムを提供することを目的とする。
【解決手段】設定端末と被設定端末との双方の設定画面又は画面遷移が異なる場合に、前記設定端末が前記被設定端末の設定を遠隔操作して前記被設定端末の設定入力を行うコンピュータシステムは、前記被設定端末に対する設定の入力を、前記設定端末の設定方法で入力を受け付けるにあたり、当該設定端末に対する設定入力を受け付けず、その設定方法のための画面閲覧のみを受け付け、前記被設定端末の端末種別ＩＤを取得し、前記端末種別ＩＤに基づいて、前記設定端末の設定方法で閲覧された前記被設定端末に対する設定に対応する設定コマンドを前記被設定端末に送信する。
【選択図】図１【図１】
0006404536.tif 000002
【図２】
0006404536.tif 000003
【図３】
0006404536.tif 000004
【図４】
0006404536.tif 000005
【図５】
0006404536.tif 000006
【図６】
0006404536.tif 000007
【図７】
0006404536.tif 000008
【図８】
0006404536.tif 000009
【図９】
0006404536.tif 000010
【図１０】
0006404536.tif 000011